【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
遊技機に対して１対１で設けられる遊技用装置と通信可能な管理装置において、
前記遊技用装置は、前記遊技機に対応して設けられる計数手段により計数された遊技媒体の数であって遊技に使用可能な計数値を特定可能な記録情報を記録した記録媒体として、会員遊技者に対して発行される会員用記録媒体、又は、不特定多数の遊技者に対して発行され遊技に使用可能な計数値がなくなったら当該遊技用装置に収納されるビジタ用記録媒体を受け付け、該受け付けた記録媒体の記録情報から特定される計数値を対応する遊技機での遊技に使用可能とする計数値使用処理を行うものであり、
前記管理装置は、
前記計数値が特定可能とされた記録媒体を受け付けた遊技用装置から、当該記録媒体を受け付けた旨を示す受付情報を受信する受信手段と、
該受信手段により受信した受付情報に基づいて、移動元である一の遊技用装置から移動先である他の遊技用装置に記録媒体を移動する台移動が行われた旨を特定する台移動特定手段と、
該台移動特定手段により特定された台移動に関わる台移動データを集計する集計手段と、を有し、
前記台移動特定手段は、前記受信手段により前記ビジタ用記録媒体の受付情報を受信したことに基づいて、当該ビジタ用記録媒体の台移動を特定し、
前記集計手段は、該台移動特定手段により特定された前記ビジタ用記録体の台移動に関わる台移動データも集計することを特徴とする管理装置。
【請求項２】
遊技機に対して１対１で設けられる遊技用装置と通信可能な管理装置において、
前記遊技用装置は、前記遊技機に対応して設けられる計数手段により計数された遊技媒体の計数値を特定可能な記録情報を記録した記録媒体を受け付け、該受け付けた記録媒体の記録情報から特定される計数値を対応する遊技機での遊技に使用可能とする計数値使用処理を行うものであり、
前記管理装置は、
前記計数値が特定可能とされた記録媒体を受け付けた遊技用装置から、当該記録媒体を受け付けた旨を示す受付情報を受信する受信手段と、
該受信手段により受信した受付情報に基づいて、移動元である一の遊技用装置から移動先である他の遊技用装置に記録媒体を移動する台移動が行われた旨を特定する台移動特定手段と、
該台移動特定手段により特定された台移動に関わる台移動データを集計する集計手段と、を有し、
前記記録媒体の記録情報から特定される計数値を貯蓄又は景品交換に供するための処理を行う使用処理端末から、当該計数値が前記貯蓄又は景品交換に供されたことにより零となった旨を特定可能な計数値零情報を受信したことに基づいて、前記集計手段は、前記台移動データの集計を終了することを特徴とする管理装置。
【手続補正２】
【補正対象書類名】明細書
【補正対象項目名】０００８
【補正方法】変更
【補正の内容】
【０００８】
まず手段１に係る発明は、遊技機（パチンコ機１０）に対して１対１で設けられる遊技用装置（カードユニット２０）と通信可能な管理装置（ホールコンピュータ１００）において、前記遊技用装置は、前記遊技機に対応して設けられる計数手段（各台計数機１９）により計数された遊技媒体（パチンコ玉）の数であって遊技に使用可能な計数値を特定可能な記録情報を記録した記録媒体として、会員遊技者に対して発行される会員用記録媒体（会員カード２）、又は、不特定多数の遊技者に対して発行され遊技に使用可能な計数値がなくなったら当該遊技用装置に収納されるビジタ用記録媒体（ビジタカード３）を受け付け、該受け付けた記録媒体の記録情報から特定される計数値（持玉数）を対応する遊技機での遊技に使用可能とする計数値使用処理（持玉返却処理）を行うものであり、前記管理装置は、前記計数値が特定可能とされた記録媒体（持玉有りカード）を受け付けた遊技用装置から、当該記録媒体を受け付けた旨を示す受付情報を受信する受信手段（通信部１０１）と、該受信手段により受信した受付情報に基づいて、移動元である一の遊技用装置から移動先である他の遊技用装置に記録媒体を移動する台移動が行われた旨を特定する台移動特定手段（制御部１０２）と、該台移動特定手段により特定された台移動に関わる台移動データを集計する集計手段（制御部１０２及び各ＤＢ）と、を有し、前記台移動特定手段は、前記受信手段により前記ビジタ用記録媒体の受付情報を受信したことに基づいて、当該ビジタ用記録媒体の台移動を特定し、前記集計手段は、該台移動特定手段により特定された前記ビジタ用記録体の台移動に関わる台移動データも集計することを特徴とする管理装置である。
これによれば、計数値が特定可能とされた記録媒体を受け付けた遊技用装置から受信した受付情報に基づいて、台移動が行われた旨が特定され、該台移動に関わる台移動データが集計されるので、該台移動データを遊技場の運営や営業に活用することができる。そして不特定多数の遊技者が利用するビジタ用記録媒体についても、台移動データを集計することができる。
【手続補正３】
【補正対象書類名】明細書
【補正対象項目名】０００９
【補正方法】変更
【補正の内容】
【０００９】
また手段２に係る発明は、遊技機（パチンコ機１０）に対して１対１で設けられる遊技用装置（カードユニット２０）と通信可能な管理装置（ホールコンピュータ１００）において、前記遊技用装置は、前記遊技機に対応して設けられる計数手段（各台計数機１９）により計数された遊技媒体（パチンコ玉）の計数値を特定可能な記録情報を記録した記録媒体（会員カード２又はビジタカード３）を受け付け、該受け付けた記録媒体の記録情報から特定される計数値（持玉数）を対応する遊技機での遊技に使用可能とする計数値使用処理（持玉返却処理）を行うものであり、前記管理装置は、前記計数値が特定可能とされた記録媒体（持玉有りカード）を受け付けた遊技用装置から、当該記録媒体を受け付けた旨を示す受付情報を受信する受信手段（通信部１０１）と、該受信手段により受信した受付情報に基づいて、移動元である一の遊技用装置から移動先である他の遊技用装置に記録媒体を移動する台移動が行われた旨を特定する台移動特定手段（制御部１０２）と、該台移動特定手段により特定された台移動に関わる台移動データを集計する集計手段（制御部１０２及び各ＤＢ）と、を有し、前記記録媒体の記録情報から特定される計数値を貯蓄又は景品交換に供するための処理を行う使用処理端末から、当該計数値が前記貯蓄又は景品交換に供されたことにより零となった旨を特定可能な計数値零情報（持玉数零情報）を受信したことに基づいて、前記集計手段は、前記台移動データの集計を終了（台移動回数を確定）することを特徴とする管理装置である。
これによれば、計数値が特定可能とされた記録媒体を受け付けた遊技用装置から受信した受付情報に基づいて、台移動が行われた旨が特定され、該台移動に関わる台移動データが集計されるので、該台移動データを遊技場の運営や営業に活用することができる。そして遊技者の意志により遊技＝台移動を終了した場合に、台移動データの集計を終了することができる。
【手続補正４】
【補正対象書類名】明細書
【補正対象項目名】００１０
【補正方法】変更
【補正の内容】
【００１０】
また手段３に係る発明は、手段１又は２に記載した管理装置（ホールコンピュータ１００）であって、前記受信手段（通信部１０１）は、前記計数値（持玉数）が特定可能とされた記録媒体（持玉有りカード）を排出する遊技用装置（カードユニット２０）から、該記録媒体の排出情報を受信し、前記集計手段（制御部１０２及び集計値ＤＢ）は、前記台移動データとして、前記受信手段により受信した排出情報に基づいて、前記遊技用装置から前記計数値が特定可能とされた記録媒体が排出された排出回数を集計すると共に、前記台移動特定手段（制御部１０２）により特定された台移動が行われた記録媒体の数である移動記録媒体数を集計し、前記出力手段（ディスプレイ１０３）は、該集計手段により集計された排出回数に対する移動記録媒体数の割合を特定可能な情報を出力することを特徴とする管理装置である。
【手続補正５】
【補正対象書類名】明細書
【補正対象項目名】００１２
【補正方法】変更
【補正の内容】
【００１２】
また手段４に係る発明は、手段１〜３のいずれか１つに記載した管理装置（ホールコンピュータ１００）であって、前記遊技機（パチンコ機１０）が属するグループを複数設定するグループ設定手段（ディスプレイ１０３及び入力装置１０４）と、該グループ設定手段により設定された各グループに属する遊技機に対応する遊技用装置（カードユニット２０）を個々に識別可能な遊技用装置識別情報（ユニットＩＤ）を管理するグループ管理手段（グループＤＢ）と、をさらに有し、前記受信手段（通信部１０１）は、前記遊技用装置から、前記移動元の遊技用装置識別情報と、前記移動先の遊技用装置識別情報とを受信し、前記集計手段（制御部１０２及び台移動回数ＤＢ）は、前記台移動データとして、前記受信手段により受信した移動元の遊技用装置識別情報に基づいて、前記台移動特定手段により特定された台移動の移動元となった移動元回数を、各遊技用装置識別情報に対応する遊技機が属するグループ毎に集計すると共に、前記受信手段により受信した移動先の遊技用装置識別情報に基づいて、前記台移動特定手段により特定された台移動の移動先となった移動先回数を、各遊技用装置識別情報に対応する遊技機が属するグループ毎に集計し、前記出力手段（ディスプレイ１０３）は、該集計手段により集計された移動元回数と移動先回数との比率を特定可能な情報を出力することを特徴とする管理装置である。
【手続補正６】
【補正対象書類名】明細書
【補正対象項目名】００１４
【補正方法】変更
【補正の内容】
【００１４】
また手段５に係る発明は、手段１〜４のいずれか１つに記載した管理装置（ホールコンピュータ１００）であって、前記遊技機（パチンコ機１０）が属するグループを複数設定するグループ設定手段（ディスプレイ１０３及び入力装置１０４）と、該グループ設定手段により設定された各グループに属する遊技機に対応する遊技用装置（カードユニット２０）を個々に識別可能な遊技用装置識別情報（ユニットＩＤ）を管理するグループ管理手段（グループＤＢ）と、をさらに有し、前記受信手段（通信部１０１）は、前記遊技用装置から、前記移動元の遊技用装置識別情報と、前記移動先の遊技用装置識別情報とを受信し、前記集計手段（制御部１０２及び台移動回数ＤＢ）は、前記台移動データとして、前記受信手段により受信した移動元の遊技用装置識別情報と移動先の遊技用装置識別情報とに基づいて、前記台移動特定手段により特定された台移動について、前記移動元の遊技用装置識別情報に対応する遊技機が属するグループから前記移動先の遊技用装置識別情報に対応する遊技機が属するグループへの移動傾向を特定可能な情報を集計することを特徴とする管理装置である。
【手続補正７】
【補正対象書類名】明細書
【補正対象項目名】００１６
【補正方法】変更
【補正の内容】
【００１６】
また手段６に係る発明は、手段１〜５のいずれか１つに記載した管理装置（ホールコンピュータ１００）であって、前記受信手段（通信部１０１）は、前記記録媒体（持玉有りカード）の記録情報から特定される計数値（持玉数）を貯蓄及び／又は景品交換に供するための処理を行う使用処理端末（ＰＯＳ端末４０）から、当該計数値が前記貯蓄及び／又は景品交換に供されたことにより零となった旨を特定可能な計数値零情報（持玉額零情報）を受信し、各記録媒体毎に、前記台移動特定手段（制御部１０２）により特定された台移動の回数を特定可能な情報を管理する台移動回数管理手段（カードＤＢ）と、前記受信手段により計数値零情報を受信したことに基づいて、前記計数値が零となった記録媒体について、前記台移動回数管理手段により管理している情報から特定される台移動の回数を確定する台移動回数確定手段（制御部１０２）と、をさらに有し、前記集計手段（制御部１０２及び集計値ＤＢ）は、前記台移動データとして、該台移動回数確定手段により各記録媒体について確定された台移動の回数を平均した平均台移動回数を特定可能な情報を集計することを特徴とする管理装置である。
【手続補正８】
【補正対象書類名】明細書
【補正対象項目名】００１８
【補正方法】変更
【補正の内容】
【００１８】
また手段７に係る発明は、手段６に記載した管理装置（ホールコンピュータ１００）であって、前記受信手段（通信部１０１）は、前記遊技用装置（カードユニット２０）から、前記記録媒体（持玉有りカード）の記録情報から特定される計数値（持玉数）が前記計数値使用処理（持玉返却処理）に供されたことにより零となった旨を特定可能な遊技使用零情報を受信し、前記台移動回数確定手段（制御部１０２）は、該受信手段により遊技使用零情報を受信したことに基づいて、前記計数値が零となった記録媒体について、前記台移動回数管理手段により管理している情報から特定される台移動の回数が予め定められた所定回数（台移動回数確定基準回数）以上であることを条件として、当該台移動の回数を確定することを特徴とする管理装置である。
【手続補正９】
【補正対象書類名】明細書
【補正対象項目名】００２０
【補正方法】変更
【補正の内容】
【００２０】
さらに手段８に係る発明は、手段１〜７のいずれか１つに記載した管理装置（ホールコンピュータ１００）であって、前記遊技機（パチンコ機１０）が属するグループを複数設定するグループ設定手段（ディスプレイ１０３及び入力装置１０４）と、該グループ設定手段により設定された各グループに属する遊技機に対応する遊技用装置（カードユニット２０）を個々に識別可能な遊技用装置識別情報（ユニットＩＤ）を管理するグループ管理手段（グループＤＢ）と、をさらに有し、前記受信手段（通信部１０１）は、前記計数値が特定可能とされた記録媒体（持玉有りカード）を排出する遊技用装置から、該記録媒体を個々に識別可能な記録媒体識別情報（カードＩＤ）と当該遊技用装置の遊技用装置識別情報とを含む排出情報を受信すると共に、前記記録媒体の記録情報から特定される計数値（持玉数）を一般景品及び特殊景品との景品交換に供するための処理を行う景品交換処理端末（ＰＯＳ端末４０）から、該記録媒体の記録媒体識別情報と前記計数値が一般景品又は特殊景品のいずれとの景品交換に供されたかを示す情報とを含む景品交換情報を受信し、該受信手段により受信した排出情報に基づいて、該排出情報に含まれる記録媒体識別情報に対応付けて、当該記録媒体識別情報の記録媒体を最後に受け付けていた遊技用装置の遊技用装置識別情報を管理する最終受付装置管理手段（カードＤＢ）をさらに有し、前記集計手段（制御部１０２及びユニットＤＢ）は、前記受信手段により受信した景品交換情報に基づいて、該景品交換情報に含まれる記録媒体識別情報に対応付けて前記最終受付装置管理手段で管理している遊技用装置識別情報に対応する遊技機が属するグループ毎に、一般景品と特殊景品との交換比率を特定可能な情報を集計することを特徴とする管理装置である。